(57)【要約】 【課題】  ライブビュー映像のHDMI出力で、カメラとテレビの映像の解像度を一致させる制御を行った際、フォーカス移動で動画記録サイズを変更させるとフォーカス移動のたびに、テレビ側が再接続するため暗転し、再表示するまでユーザを待たせてしまう【解決手段】  HDMI出力している時はフォーカス移動で動画記録サイズ変更させるのではなく、選択画面を閉じる操作によって、動画記録サイズを変更する【選択図】  図５
2019097048.tif 000002
【特許請求の範囲】
【請求項１】
前記課題を解決するための撮像装置は以下に示される。
外部装置に映像を出力させる手段(１２４)と、
センサーに入力された映像をリアルタイムにライブビュー（ＬＶ）出力する撮像手段（１０６）と、
ライブビュー（ＬＶ）の解像度、フレームレートに応じて外部装置への出力を切り替える手段（S５２３）と、を備え、
ライブビュー（ＬＶ）の解像度、フレームレートの選択画面の表示指示（S５０３）があった場合に、
外部装置に接続されているかの判断（S５０６）に応じて、
外部装置に接続されていない場合は、
ユーザー操作による選択画面内のフォーカス移動に応じて（S５０８）、
ライブビュー（ＬＶ）の解像度、フレームレートを即時変更する（S５０９）、
第一のライブビュー（ＬＶ）の解像度、フレームレートの選択画面を表示（S５０７）し、
外部装置に接続されている場合は、
ユーザー操作による選択画面内のフォーカス移動に応じて、
ライブビュー（ＬＶ）の解像度、フレームレートを即時変更せず、フォーカス移動のみ行い（S５２０）、
選択画面を閉じる操作（S５２１）によって、ライブビュー（ＬＶ）の解像度、フレームレートを変更する（S５２２）、
第二のライブビュー（ＬＶ）の解像度、フレームレートの選択画面を
表示する（S５１８）ように制御する制御手段（１０１）とを有することを特徴とする撮像装置。
【発明の詳細な説明】
【技術分野】
【０００１】
本発明は、ソース装置による動画記録サイズの変更により、シンク装置の解像度を変更する機能を有する機器において、解像度変更をスムーズにシンク装置によって視聴できる撮像装置に関する。
【背景技術】
【０００２】
現在、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）と呼ばれる通信インターフェースが提案されている。ＨＤＭＩ規格に準拠した通信システムは、ソース（Ｓｏｕｒｃｅ）装置とシンク（Ｓｉｎｋ）装置とを有する。ソース装置は、映像データをＨＤＭＩインターフェースを介して送信することができる。シンク装置は、ソース装置からの映像データをＨＤＭＩインターフェースを介して受信し、受信した映像データを表示器に表示することができる。
【０００３】
従来、シンク装置に対応する解像度を示す情報を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）をシンク装置から取得するソース装置が知られている（特許文献１）。ソース装置は、シンク装置から取得したＥＤＩＤを用いてシンク装置に表示させるためのデータを生成する。
【先行技術文献】
【特許文献】
【０００４】
【特許文献１】特開２００９−７７３４７号公報
【発明の概要】
【発明が解決しようとする課題】
【０００５】
現在、4K、フルＨＤ（Ｆｕｌｌ  Ｈｉｇｈ  Ｄｅｆｉｎｉｔｉｏｎ）など複数の解像度に対応する映像データを表示することができるシンク装置が知られている。このシンク装置は、ソース装置からの信号が4KからフルＨＤ、またはフルＨＤから4Kなどに変更される際に再接続を必要とし、瞬時に切り替えを行えず、しばらく消灯したあとに表示を開始する装置がある。
【０００６】
このため、例えばライブビュー映像の出力などで、ソース装置とシンク装置の映像の解像度を一致させる制御を行った際、ライブビューの設定を変更するたびに、シンク装置が再表示するまでユーザを待たせてしまうという問題があった。
【０００７】
そこで、本発明は、ソース装置による解像度変更をスムーズにシンク装置によって視聴できるようにする撮像装置を提供することを目的とする。
【課題を解決するための手段】
【０００８】
前記課題を解決するための撮像装置は以下に示される。
【０００９】
外部装置に映像を出力させる手段と、
センサーに入力された映像をリアルタイムにライブビュー（ＬＶ）出力する撮像手段と、
ライブビュー（ＬＶ）の解像度、フレームレートに応じて外部装置への出力を切り替える手段と、を備え、
ライブビュー（ＬＶ）の解像度、フレームレートの選択画面の表示指示があった場合に、
外部装置に接続されているかの判断に応じて、
外部装置に接続されていない場合は、
ユーザー操作による選択画面内のフォーカス移動に応じて、
ライブビュー（ＬＶ）の解像度、フレームレートを即時変更する、
第一のライブビュー（ＬＶ）の解像度、フレームレートの選択画面を表示し、
外部装置に接続されている場合は、
ユーザー操作による選択画面内のフォーカス移動に応じて、
ライブビュー（ＬＶ）の解像度、フレームレートを即時変更せず、フォーカス移動のみ行い、
選択画面を閉じる操作によって、ライブビュー（ＬＶ）の解像度、フレームレートを変更する、
第二のライブビュー（ＬＶ）の解像度、フレームレートの選択画面を
表示するように制御する制御手段とを有することを特徴とする撮像装置。
【発明の効果】
【００１０】
本発明によれば、外部装置に接続中に、ライブビューの解像度を変更するたびに外部装置の解像度を変更する必要がなくなるため、スムーズにライブビューの解像度を変更することができる撮像装置を提供することができる。
【図面の簡単な説明】
【００１１】
【図１】本実施例を実現するためのデジタルカメラの外観図
【図２】本実施例を実現するためのシステム図
【図３】本実施例における撮影待機画面とクイック設定画面の画面例
【図４】本実施例におけるクイック設定画面で動画記録サイズの選択肢を表示した画面例
【図５】本実施例における制御のフローチャート
【図６】本実施例におけるクイック設定画面で動画記録サイズ選択画面の入り口を表示した画面例
【図７】本実施例における動画記録サイズ選択画面の画面例
【発明を実施するための形態】
【００１２】
［実施例１］
以下、図面を参照して本発明の好適な実施形態を説明する。図１に本発明の電子機器の一例としてのデジタルカメラ１００の外観図を示す。表示部１１１は撮影画像や各種情報を表示する表示部である。シャッターボタン１１６は撮影指示を行うための操作部である。モードダイアル１１７は各種モードを切り替えるための操作部である。メインダイアル５０、クイック設定ボタン７０、上下左右キー８０、SETキー９０はユーザーからの操作を受け付け、動画記録サイズの設定などの各種設定を行う操作部材である。
【００１３】
ライブビュー撮影/動画撮影ボタン１２３はユーザーからの操作を受け付け、静止画記録モードでは静止画ライブビューの起動/終了を指示し、動画記録モードでは動画記録の開始/停止を指示する操作部材である。
【００１４】
本実施形態に係る通信システムは、図2のブロック図に示すように、デジタルカメラ１００と外部装置２００とが、接続ケーブル３００を介して通信可能に接続されている。デジタルカメラ１００、外部装置２００は、ＨＤＭＩ（Ｈｉｇｈ−Ｄｅｆｉｎｉｔｉｏｎ Ｍｕｌｔｉｍｅｄｉａ Ｉｎｔｅｒｆａｃｅ）（登録商標）規格に対応する通信を行うことができるデバイスである。なお、本施例において、接続ケーブル３００は、ＨＤＭＩ規格に対応する通信インターフェースである。
【００１５】
接続ケーブル３００には、ＤＤＣ（Ｄｉｓｐｌａｙ Ｄａｔａ Ｃｈａｎｎｅｌ）ライン及びＴＭＤＳ（Ｔｒａｎｓｉｔｉｏｎ−Ｍｉｎｉｍｉｚｅｄ Ｄｉｆｆｅｒｅｎｔｉａｌ Ｓｉｇｎａｌｉｎｇ）ラインが含まれている。さらに、接続ケーブル３００には、ＣＥＣ（Ｃｏｎｓｕｍｅｒ Ｅｌｅｃｔｒｏｎｉｃｓ Ｃｏｎｔｒｏｌ）ラインが含まれている。
【００１６】
デジタルカメラ１００は、携帯電話やスマートフォン等のデバイスであってもよく、外部装置２００は、テレビ、パーソナルコンピュータやプロジェクタ等のデバイスであってもよく、表示デバイスであっても良い。
【００１７】
次に、デジタルカメラ１００について説明する。図２において、システム制御部１０１は、外部装置２００から取得した外部装置２００のデバイス情報を解析することにより、外部装置の２００の画像表示能力及び音声処理能力を知ることができる。外部装置２００のデバイス情報とは、外部装置２００に記録されているＥＤＩＤ（Ｅｘｔｅｎｄｅｄ ｄｉｓｐｌａｙ ｉｄｅｎｔｉｆｉｃａｔｉｏｎ ｄａｔａ）またはＥ−ＥＤＩＤ（Ｅｎｈａｎｃｅｄ ＥＤＩＤ）である。ＥＤＩＤ及びＥ−ＥＤＩＤはいずれも、外部装置２００の識別情報、外部装置２００がサポートしている解像度、走査周波数、アスペクト比、色空間などに関する情報等が含まれている。
【００１８】
ＥＥＤＩＤは、ＥＤＩＤを拡張したものであり、ＥＤＩＤよりも多くの能力情報を含む。例えば、Ｅ−ＥＤＩＤには、外部装置２００がサポートしている映像データ及び音声データのフォーマットなどに関する情報が含まれている。以下、ＥＤＩＤ及びＥ−ＥＤＩＤをいずれも「ＥＤＩＤ」と呼ぶ。外部装置２００から接続ケーブル３００を介して、ＥＤＩＤを取得したデジタルカメラ１００は、ＤＤＣライン５０１を介して取得したＥＤＩＤを解析する。デジタルカメラ１００は、ＥＤＩＤの解析結果から外部装置２００の画像表示能力、音声処理能力などを知ることができる。
【００１９】
さらに、デジタルカメラ１００は、外部装置２００の画像表示能力及び音声処理能力に適した映像データ及び音声データを生成することができる。
【００２０】
また、システム制御部１０１は、デジタルカメラ１００全体を制御する。前述した不揮発性メモリ１１４に記録されたプログラムを実行することで、後述する本実施形態の各処理を実現する。１１３はシステムメモリであり、ＲＡＭが用いられる。システムメモリ１１３には、システム制御部１０１の動作用の定数、変数、外部装置２００から取得したＥＤＩＤ、不揮発性メモリ１１４から読み出したプログラム等を展開する。また、システム制御部はメモリ１０９、Ｄ／Ａ変換器１１０、表示部１１１等を制御することにより表示制御も行う。
【００２１】
通信部１２４は、接続ケーブル３００を接続するための接続端子（コネクタ）を有する。通信部１２４は、ＤＤＣラインを介して外部装置２００からＥＤＩＤを取得する。外部装置２００から取得されたＥＤＩＤは、システム制御部１０１に供給される。
【００２２】
さらに、通信部１２４は、データ送信部１２４ａ及びコマンド処理部１２４ｂを有する。データ送信部１２４ａは、外部装置２００の画像表示能力に適した映像データ、外部装置２００の音声処理能力に適した音声データ及び補助データを、ＴＭＤＳラインを介して外部装置２００に送信する。データ送信部１２４ａによって外部装置２００に送信される映像データ及び音声データは、外部装置２００から取得されるＥＤＩＤに応じて生成される。
【００２３】
システム制御部１０１は、通信部１２４から得た情報により、デジタルカメラ１００に、接続ケーブル３００を介して外部装置２００が接続されていると判断した場合に映像の出力先を外部装置２００とし、接続されていない場合は映像の出力先を表示部１１１とするように制御する。
【００２４】
デジタルカメラ１００に外部装置２００が接続されており、ライブビューが起動している場合、撮像部１０６により生成され、かつ、画像処理部１０２により画像処理が行われた映像データがデータ送信部１２４ａによって外部装置２００に送信されることで、外部装置２００にライブビュー表示を行う。この場合、不図示のマイクロフォンによって生成された音声データも映像データとともにデータ送信部１２４ａによって外部装置２００に送信される。
【００２５】
コマンド処理部１２４ｂは、ＣＥＣラインを介して接続される外部装置２００に、ＣＥＣプロトコルに対応するコマンドを送信することができる。さらに、コマンド処理部１２４ｂは、ＣＥＣラインを介して接続される外部装置２００からＣＥＣプロトコルに対応するコマンドを受信することができる。
【００２６】
なお、コマンド処理部１２４ｂは、外部装置２００から受信したコマンドをシステム制御部１０１に供給することができる。システム制御部１０１は、コマンド処理部１２４ｂから供給されるコマンドを解析し、その解析結果に応じて、デジタルカメラ１００を制御する。
【００２７】
撮影レンズ１０４はズームレンズ、フォーカスレンズを含むレンズ群である。シャッター１０５は絞り機能を備えるシャッターである。撮像部１０６は光学像を電気信号に変換するＣＣＤやＣＭＯＳ素子等で構成される撮像素子である。Ａ／Ｄ変換器１０７は、アナログ信号をデジタル信号に変換する。Ａ／Ｄ変換器１０７は、撮像部１０６から出力されるアナログ信号をデジタル信号に変換するために用いられる。バリア１０３は、デジタルカメラ１００の、撮影レンズ１０４を含む撮像系を覆うことにより、撮影レンズ１０４、シャッター１０５、撮像部１０６を含む撮像系の汚れや破損を防止する。
【００２８】
画像処理部１０２は、Ａ／Ｄ変換器１０７からのデータ、又は、メモリ制御部１０８からのデータに対し、デジタルカメラ１００の設定や外部装置２００から取得したＥＤＩＤに基づいて所定の画素補間、縮小といったリサイズ処理や色変換処理を行う。また、画像処理部１０２では、撮像した画像データを用いて所定の演算処理が行われ、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。
【００２９】
画像処理部１０２では更に、撮像した画像データを用いて所定の演算処理を行い、得られた演算結果に基づいてＴＴＬ方式のＡＷＢ（オートホワイトバランス）処理も行っている。
【００３０】
Ａ／Ｄ変換器１０７からの出力データは、画像処理部１０２及びメモリ制御部１０８を介して、或いは、メモリ制御部１０８を介してメモリ１０９に直接書き込まれる。メモリ１０９は、撮像部１０６によって得られＡ／Ｄ変換器１０７によりデジタルデータに変換された画像データを格納する。メモリ１０９は、所定枚数の静止画像や所定時間の動画像および音声を格納するのに十分な記憶容量を備えている。
【００３１】
また、メモリ１０９は画像表示用のメモリ（ビデオメモリ）を兼ねている。出力先が表示部１１１の場合、Ｄ／Ａ変換器１１０は、メモリ１０９に格納されている画像表示用のデータをアナログ信号に変換して表示部１１１に供給する。こうして、メモリ１０９に書き込まれた表示用の画像データはＤ／Ａ変換器１１０を介して表示部１１１により表示される。表示部１１１は、ＬＣＤ等の表示器上に、Ｄ／Ａ変換器１１０からのアナログ信号に応じた表示を行う。
【００３２】
Ａ／Ｄ変換器１０７によって一度Ａ／Ｄ変換されメモリ１０９に蓄積されたデジタル信号をＤ／Ａ変換器１１０においてアナログ変換し、表示部１１１に逐次転送して表示することで、電子ビューファインダとして機能し、ライブビュー表示を行える。出力先が外部装置２００の場合、メモリ１０９に格納されている画像表示用のデータを、データ送信部１２４ａによって外部装置２００に送信されることで、外部装置２００にライブビュー表示を行う。 
【００３３】
不揮発性メモリ１１４は、電気的に消去・記録可能なメモリであり、例えばＥＥＰＲＯＭ等が用いられる。不揮発性メモリ１１４には、システム制御部１０１の動作用の定数、プログラム等が記憶される。ここでいう、プログラムとは、本実施形態にて後述する各種フローチャートを実行するためのプログラムのことである。また、不揮発性メモリ１１４は、動画記録サイズの設定などカメラの設定を記憶する。システムタイマー１１２は各種制御に用いる時間や、内蔵された時計の時間を計測する計時部である。
【００３４】
モードダイアル１１７、第１シャッタースイッチ１１６a、第２シャッタースイッチ１１６bはシステム制御部１０１に各種の動作指示を入力するための操作手段である。モードダイアル１１７は、システム制御部１０１の動作モードを静止画記録モード、動画記録モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。
【００３５】
モードダイアル１１７で、静止画記録モードに含まれるこれらのモードのいずれかに直接切り替えられる。あるいは、モードダイアル１１７で静止画記録モードに一旦切り換えた後に、静止画記録モードに含まれるこれらのモードのいずれかに、他の操作部材を用いて切り替えるようにしてもよい。同様に、動画記録モードにも複数のモードが含まれていてもよい。
【００３６】
ライブビュー撮影/動画撮影ボタン１２３により、静止画記録モードでは、静止画ライブビューを起動することが可能である。一方、動画記録モードでは動画ライブビューでのみ撮影が可能でるため、動画記録モードでカメラを起動すると動画ライブビューが起動される。
【００３７】
ライブビュー撮影/動画撮影ボタン１２３により、動画記録モードでは、ユーザーからの操作を受け付け、システム制御部１０１に、動画記録開始/停止を指示する。システム制御部１０１は、動画記録開始通知により、撮像部１０６からの信号読み出しから記録媒体１２３に動画データを書き込む処理を開始し、動画記録停止通知により、撮像部１０６からの信号読み出しの停止および動画データの作成を完了させる。
【００３８】
第１シャッタースイッチ１１６aは、デジタルカメラ１００に設けられたシャッターボタン１１６の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３９】
第２シャッタースイッチ１１６bは、シャッターボタン１１６の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０６からの信号読み出しから記録媒体１２３に画像データを書き込むまでの一連の撮影処理の動作を開始する。
【００４０】
操作部１１５の各操作部材は、現在の出力先(表示部１１１もしくは外部装置２００)に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が現在の出力先に表示される。利用者は、現在の出力先に表示されたメニュー画面と、上下左右の４方向ボタンやＳＥＴボタンとを用いて直感的に各種設定を行うことができる。
【００４１】
電源制御部１１９は、電池検出回路、ＤＣ−ＤＣコンバータ、通電するブロックを切り替えるスイッチ回路等により構成され、電池の装着の有無、電池の種類、電池残量の検出を行う。また、電源制御部１１９は、その検出結果及びシステム制御部１０１の指示に基づいてＤＣ−ＤＣコンバータを制御し、必要な電圧を必要な期間、記録媒体１２３を含む各部へ供給する。
【００４２】
電源部１２０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１２１は、メモリカードやハードディスク等の記録媒体１２２とのインターフェースである。記録媒体１２２は、撮影された画像および動画データを記録するためのメモリカード等の記録媒体であり、半導体メモリや磁気ディスク等から構成される。
【００４３】
外部装置２００について説明する。外部装置２００は、デジタルカメラ１００から受信したライブビューやメニュー画面などの映像データを不図示のディスプレイに表示し、デジタルカメラ１００から受信した音声データを不図示のスピーカから出力する。外部装置２００は、ＥＤＩＤを記録する。さらに、外部装置２００は、外部装置２００の表示設定が変更された場合、変更された後の表示設定に応じて、ＥＤＩＤに含まれる情報を書き換える。
【００４４】
上述したデジタルカメラ１００では動画記録サイズの設定を行うことが可能である。本実施例では動画記録サイズは、記憶される動画の解像度とフレームレートの組合せを表す。
【００４５】
図３と図４により動画記録サイズを設定する画面の例の説明を行う。表示部１１１に図3-aで示される撮影待機中画面を表示中に、クイック設定ボンタン７０を押下すると、図3-bで示されるクイック設定画面に遷移することができる。クイック設定画面では、上下左右キー８０、SETキー９０を組み合わせることでデジタルカメラ１００の各種設定を行うことができる。動画記録サイズの設定方法について示す。
【００４６】
クイック設定画面の初期状態では、フォーカス位置は３０１にあり動画記録モードの選択を行うことができる。さらに、上下左右キー８０で上下方向の操作を行い、上下にフォーカス位置を移動させると、図4-aで示されるクイック設定画面で動画記録サイズの選択肢を表示した画面に遷移することができる。動画記録サイズの選択肢としては記憶される動画の解像度とフレームレートがセットで設定され、選択可能なセットが項目として並べられる。例えば、[4K 23.98P]の項目は動画の解像度が4K、フレームレートが23.98fpsで記録することを示す。
【００４７】
上下左右キー８０で左右方向の操作を行い、左右にフォーカス位置を移動させると、現在の動画記録サイズの設定値を変更することができる。図4-aで４０１にフォーカスがある状態から上下左右キー８０により、フォーカスを４０２の[FHD59.94fps]に移動すると、現在の動画記録サイズの設定値は動画の解像度はFHD、フレームレートが59.94fpsに設定変更される。FHDはフルハイビジョンを表す。今回の例では、動画の解像度は4Kとフルハイビジョンとハイビジョン(HD)とが選択可能なものとする。図4-bに示す画面からSETキー９０により、クイック設定画面を閉じる操作が行われると、図3-aに示す撮影待機中画面に遷移する。
【００４８】
ライブビュー表示を行いつつ動画記録サイズの設定値を変更する場合は、ユーザーがSETキー９０などの確定操作を行わなくとも、フォーカス移動に伴い動画記録サイズの設定値変更が発生する。ユーザーが動画記録サイズの設定値変更に伴う画角の変更をリアルタイムで知ることができるようにするためである。
【００４９】
外部装置２００で出力される解像度とフレームレートは、デジタルカメラ１００の動画記録サイズの設定および、外部装置２００がサポートしている解像度、走査周波数に関する情報に依存する場合がある。
【００５０】
例えば、動画記録サイズが解像度が4K、フレームレートが23.98fpsである場合に、外部装置２００がこの解像度とフレームレート(走査周波数)をサポートしていれば、実際に録画されるデータと同じようにライビュー表示が見えた方が良いため、外部装置２００の出力も同じ解像度とフレームレート(走査周波数)で表示されることが望ましい。
【００５１】
外部装置２００が4K、FHD、HDなど複数の解像度の映像データを表示することができる場合、デジタルカメラ１００の動画記録サイズの設定値の変更に従い4KからFHD、またはFHDから4Kなど出力解像度を変更することができる。しかし、外部装置２００は、デジタルカメラ１００からの入力フォーマットを変更する際には、再接続を必要とし、瞬時に切り替えを行えず、しばらく消灯したあとに表示を開始する。
【００５２】
このため、外部装置２００にライブビュー表示を出力している際に、ソース装置とシンク装置の映像の解像度を一致させる制御を行った際、図4-aで示されるクイック設定画面で動画記録サイズの選択肢を表示した画面で動画記録サイズの設定を変更した場合には、動画記録サイズの設定を変更するたびに、外部装置２００の再接続が必要となり、外部装置２００が再表示するまでユーザを待たせてしまう場合がある。
【００５３】
以下、図５〜図７を参照して、本発明の実施例の動作を説明する。図５は本実施形態において、上記の制御を実行する動作手順の一例を示すフローチャートである。撮影待機画面から開始する。この時の画面例を図3-aに示す。
【００５４】
S５０１では、システム制御部１０１は、クイック設定ボタン７０の押下操作を受けたか否かを判定する。クイック設定ボタン７０の押下操作を受けた場合は、S５０２に進み、そうでない場合はS５０１に進む。S５０２では、システム制御部１０１は、撮影待機画面でクイック設定ボタン７０の押下操作を受けことを受け、クイック設定画面に遷移する。この時の画面例を図3-bに示す。
【００５５】
S５０３では、システム制御部１０１は、上下左右キー８０で上下方向のキー操作を受けたか否かを判定する。上下左右キー８０で上下方向のキー操作を受けた場合は、S５０５に進み、そうでない場合はS５０４に進む。S５０４では、システム制御部１０１は、クイック設定画面の閉じ操作を受けたか否かを判定する。クイック設定画面の閉じ操作を受けた場合は、S５０１に進み、そうでない場合はS５０３に進む。ここで、クイック設定画面の閉じ操作とは、クイック設定画面で再度クイック設定ボタン７０を押下する操作や、第１シャッタースイッチ１１６aを押下して撮影待機画面に遷移させる操作である。
【００５６】
S５０５では、システム制御部１０１は、クイック設定で動画記録サイズにフォーカスがあたったか否かを判定する。動画記録サイズにフォーカスがあたった場合は、S５０６に進み、そうでない場合はS５０３に進む。S５０６では、システム制御部１０１は、デジタルカメラ１００に外部装置２００が接続されているおり、外部装置２００に出力中か否かを判定する。外部装置２００に出力中であたった場合は、S５１３に進み、そうでない場合はS５０７に進む。
【００５７】
S５０７では、システム制御部１０１は、ライブビュー(撮像)を継続しつつ、クイック設定画面内で動画記録サイズの選択肢を表示する。この時の画面例を図4-aに示す。S５０８では、システム制御部１０１は、上下左右キー８０で左右方向のキー操作を受けたか否かを判定する。上下左右キー８０で左右方向のキー操作を受けた場合は、S５０９に進み、そうでない場合はS５１０に進む。
【００５８】
S５０９では、システム制御部１０１は、フォーカス表示の移動と共に、デジタルカメラ１００の動画記録サイズの即時変更を行う。変更した値は、デジタルカメラ１００の電源を切っても忘れないように不揮発性メモリ１１４に保存される。この時の画面例を図4-bに示す。S５１０では、システム制御部１０１は、クイック設定の動画記録サイズフォーカス中にHDMI挿し操作があったか否かを判定する。DMI挿し操作があった場合は、S５１１に進み、そうでない場合はS５１２に進む。
【００５９】
S５１１では、システム制御部１０１は、外部装置２００とのHDMI接続を行い、出力先を外部装置２００とし、撮影待機画面に遷移しS５０１に進む。クイック設定画面から撮影待機画面に遷移するのは、HDMI接続中に図4-aや図4-bのようなクイック設定画面内に動画記録サイズの選択肢を表示した画面を、表示しないためである。
【００６０】
S５１２では、システム制御部１０１は、クイック設定画面の閉じ操作を受けたか否かを判定する。クイック設定画面の閉じ操作を受けた場合は、S５０１に進み、そうでない場合はS５０８に進む。ここで、クイック設定画面の閉じ操作とは、S５０４で記載したものと同様の操作である。S５１３では、システム制御部１０１は、クイック設定で動画記録サイズ設定画面の入り口を表示する。この時の画面例を図6に示す。
【００６１】
S５１４では、システム制御部１０１は、画面遷移の選択操作SETキー９０を受けたか否かを判定する。SETキー９０操作を受けた場合は、S５１８に進み、そうでない場合はS５１５に進む。S５１５では、システム制御部１０１は、クイック設定の動画記録サイズフォーカス中にHDMI抜き操作があったか否かを判定する。DMI抜き操作があった場合は、S５１６に進み、そうでない場合はS５１７に進む。
【００６２】
S５１６では、システム制御部１０１は、外部装置２００とのHDMI接続を解除し、出力先を表示部１１１とし、撮影待機画面に遷移しS５０１に進む。クイック設定画面から撮影待機画面に遷移するのは、表示の整合性上HDMI非接続中に図6の表示を行わないためである。
【００６３】
S５１７では、システム制御部１０１は、クイック設定画面の閉じ操作を受けたか否かを判定する。クイック設定画面の閉じ操作を受けた場合は、S５０１に進み、そうでない場合はS５１４に進む。ここで、クイック設定画面の閉じ操作とは、S５０４で記載したものと同様の操作である。
【００６４】
S５１８では、システム制御部１０１は、動画記録サイズ設定画面に遷移する。この時の画面例を図7-aに示す。動画記録サイズ設定画面に遷移する際にライブビュー(撮像)を停止する。図7-aに示すように不透過の画面で覆うため、ライブビュー(撮像)を動作させておくのは消費電流の無駄となるからである。S５１９では、システム制御部１０１は、上下左右キー８０のキー操作を受けたか否かを判定する。上下左右キー８０を受けた場合は、S５２０に進み、そうでない場合はS５２１に進む。
【００６５】
S５２０では、システム制御部１０１は、フォーカス表示の移動のみ行い、デジタルカメラ１００の動画記録サイズの変更は行わない。この時の画面例を図7-bに示す。S５２１では、システム制御部１０１は、SETキー９０操作を受けたか否かを判定する。SETキー９０操作を受けた場合は、S５２２に進み、そうでない場合はS５２５に進む。S５２２では、システム制御部１０１は、デジタルカメラ１００の動画記録サイズの変更を行いS５２３に進む。変更した値は、デジタルカメラ１００の電源を切っても忘れないように不揮発性メモリ１１４に保存される。
【００６６】
S５２３では、システム制御部１０１は、変更された動画記録サイズを元に外部装置２００とHDMI再接続を行い、HDMI出力解像度を変更し、S５２４に進む。S５２４では、システム制御部１０１は、S５１８で停止したライブビューを開始し、撮影待機画面に遷移しS５０１に進む。S５２５では、システム制御部１０１は、動画記録サイズ設定画面表示中にHDMI抜き操作があったか否かを判定する。DMI抜き操作があった場合は、S５２６に進み、そうでない場合はS５２８に進む。
【００６７】
S５２６では、システム制御部１０１は、外部装置２００とのHDMI接続を解除し、出力先を表示部１１１とし、S５２７に進む。S５２７では、システム制御部１０１は、S５１８で停止したライブビューを開始し、撮影待機画面に遷移しS５０１に進む。撮影待機画面に遷移するのは、表示の整合性上HDMI非接続中に図7の表示を行わないためである。
【００６８】
S５２８では、システム制御部１０１は、動画記録サイズ設定画面の閉じ操作を受けたか否かを判定する。動画記録サイズ設定画面の閉じ操作を受けた場合は、S５２９に進み、そうでない場合はS５１９に進む。ここで、動画記録サイズ設定画面の閉じ操作とは、第１シャッタースイッチ１１６aを押下して撮影待機画面に遷移させる操作等である。S５２８では、システム制御部１０１は、S５１８で停止したライブビューを開始し、撮影待機画面に遷移しS５０１に進む。
以上、本発明の好ましい実施形態について説明したが、本発明はこれらの実施形態に限定されず、その要旨の範囲内で種々の変形及び変更が可能である。
【００６９】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７０】
１００  デジタルカメラ、１０６  撮像部、１０７  Ａ／Ｄ変換機、１０２  画像処理部、１１１  表示部、１０１  システム制御部、１０９  メモリ、１１４  不揮発性メモリ、１１５  操作部、１１７  モードダイアル、１２２  記憶媒体、２００  外部機器、３００  接続ケーブル
【図１】
2019097048.tif 000003
【図２】
2019097048.tif 000004
【図３】
2019097048.tif 000005
【図４】
2019097048.tif 000006
【図５】
2019097048.tif 000007
【図６】
2019097048.tif 000008
【図７】
2019097048.tif 000009